(57)【要約】【課題】吐出ガン用袋の開封時に切れ端が発生してゴミになるのを防止し、かつ開封部から漏出した内容物の回り込みによる吐出ガンの内部の汚れを防止又は抑制する。【解決手段】吐出ガン用袋２０は、胴体部２１と、胴体部２１から先細りに突出された袋端部２２とを備えている。袋端部２２の先端部２２ｅから胴体部２１へ向かって切込み２５を入れる。【選択図】図１
2017186024.tif 000002
【特許請求の範囲】
【請求項１】
胴体部と、前記胴体部から先細りに突出された袋端部とを備えた吐出ガン用袋の使用方法であって、
前記袋端部の先端部から前記胴体部へ向かって切込みを入れることによって開封することを特徴とする吐出ガン用袋の使用方法。
【請求項２】
胴体部と、前記胴体部から先細りに突出された袋端部とを備え、
前記袋端部の先端部から前記胴体部へ向かって切込みが形成されているか又は形成可能であることを特徴とする吐出ガン用袋。
【発明の詳細な説明】
【技術分野】
【０００１】
本発明は、吐出ガンのカートリッジとして好適な袋及びその使用方法に関する。
【背景技術】
【０００２】
一般に、この種の吐出ガン用袋は、２枚のシートにて構成されている（例えば特許文献１等参照）。これら２枚のシートが、互いに重ねられるとともに周縁部が全周にわたって封止されている。袋の内部には、接着剤などの流動体が封入される。袋は、概略筒状の胴体部と、この胴体部から先細りに突出された三角形状ないしは錐形状の袋端部を有している。
【０００３】
袋の使用時には、袋端部の先端を胴体部の軸線と直交する幅方向に切り落とす。これによって、袋が開封されて吐出口が形成される。この吐出口から接着剤等の内容物を吐出できる。
【先行技術文献】
【特許文献】
【０００４】
【特許文献１】特開２００８−２６５８１３号公報（００１９、図８）
【発明の概要】
【発明が解決しようとする課題】
【０００５】
袋端部の先端を幅方向に切り落とすと、切れ端がゴミとなる。
また、袋を吐出ガンにセットして接着剤等の内容物を押し出す場合、吐出ガンのノズルの内部が前回の吐出物の残材で詰まっていると、押し出された内容物の一部が、吐出ガンの先端部分の内面と袋の外面との間の空隙部分に回り込む。そのため、吐出ガンの先端部分の内部が、前記回り込んだ内容物によって汚れてしまう。
本発明は、前記事情に鑑みてなされたものであり、吐出ガン用袋の開封時に切れ端が発生してゴミになるのを防止し、かつ開封部から漏出した内容物の回り込みによる吐出ガンの内部の汚れを防止又は抑制することを目的とする。
【課題を解決するための手段】
【０００６】
前記問題点を解決するために、本発明方法は、胴体部と、前記胴体部から先細りに突出された袋端部とを備えた吐出ガン用袋の使用方法であって、
前記袋端部の先端部から前記胴体部へ向かって切込みを入れることによって開封することを特徴とする。
【０００７】
本発明物は、胴体部と、前記胴体部から先細りに突出された袋端部とを備え、
前記袋端部の先端部から前記胴体部へ向かって切込みが形成されているか又は形成可能である吐出ガン用袋を特徴とする。
【発明の効果】
【０００８】
本発明によれば、吐出ガン用袋の開封時に切れ端が発生してゴミになるのを防止できる。かつ、開封部から漏出した内容物の回り込みによる吐出ガンの内部の汚れを防止又は抑制できる。
【図面の簡単な説明】
【０００９】
【図１】図１は、本発明の一実施形態に係る吐出ガン用袋の平面図である。
【図２】図２は、前記袋を収容した吐出ガンの縦断面図である。
【図３】図３（ａ）は、ノズルの初回使用時における、袋からの内容物の吐出開始状態を示す吐出ガンの先端部分の断面図である。図３（ｂ）は、ノズルの２回目以降の使用時における、袋からの内容物の吐出開始状態を示す吐出ガンの先端部分の断面図である。
【発明を実施するための形態】
【００１０】
以下、本発明の一実施形態を図面にしたがって説明する。
図１は、吐出ガン１用袋２０を示したものである。袋２０は、２枚のシート２０ａ，２０ａにて構成されている。これら２枚のシート２０ａ，２０ａが、図１において紙面手前側と紙面奥側に重ねられている。かつ、これらシート２０ａ，２０ａの周縁部が、全周にわたって封止されることで、周縁封止部２４が形成されている。袋２０の内部には、接着剤などの流動体からなる内容物２が封入されている。
【００１１】
袋２０は、胴体部２１と、先端側の袋端部２２と、末端側の袋端部２３を有している。胴体部２１は、軸線Ｌ２に沿って延びる概略ストレートな筒状になっている。
【００１２】
胴体部２１の長手方向（軸線Ｌ２に沿う方向）の先端側（図１において左側）に袋端部２２が設けられている。袋端部２２は、三角形状ないしは錐形状をなして、胴体部２１から先細りに突出されている。袋端部２２の先端部２２ｅは、袋２０の幅方向に沿うように縁取りされている。胴体部２１の末端側（図１において右側）に袋端部２３が設けられている。袋端部２３は、胴体部２１から半円状に突出されている。
【００１３】
図１において二点鎖線にて示すように、袋２０には、袋端部２２の先端部２２ｅから胴体部２１へ向かって前記長手方向に切込み２５を形成可能である。
先端部２２ｅから胴体部２１へ向かって切込み２５となるべき小切込みやミシン目等のキッカケ部を形成しておいてもよい。前記小切込みの長さは、周縁封止部２４の幅寸法よりも小さくする。
袋端部２２の外面における、先端部２２ｅから胴体部２１へ向かって切込み２５となるべき案内線を印刷等にて表示してもよい。
袋２０の外面に、切込み２５は先端部２２ｅから胴体部２１へ向かって形成すべき旨の説明文を印刷等にて表示してもよい。
切込み２５は先端部２２ｅから胴体部２１へ向かって形成すべき旨の説明書を袋２０とは別途に作成して添付してもよい。
【００１４】
図２に示すように、袋２０は、例えば吐出ガン１に組み込まれて使用される。吐出ガン１は、筒状のホルダー１１と、ホルダーキャップ１２と、ノズル１３と、押し駒１４を備えている。筒状のホルダー１１の先端部（図２において左側部）にノズル１３付きのホルダーキャップ１２が着脱可能に設けられている。ノズル１３は、相対的に大径かつ短筒テーパ状の受け口部１３ｂと、相対的に小径かつ長筒テーパ状のノズル部１３ａとを含む。受け口部１３ｂがホルダーキャップ１２に固定されている。ノズル部１３ａが、ホルダーキャップ１２から先端方向へ突出されている。
ホルダー１１の末端部（図２において右側部）には押し駒１４が収容されている。押し駒１４は、押し機構（詳細な図示省略）によってホルダー１１の軸線に沿って前進後退可能になっている。
【００１５】
袋２０は、次のようにして使用される。
今、吐出ガン１のノズル１３は初めて使用に供され、ノズル１３の内部に残材２ｂ（図３（ｂ））が存在しないものとする。
前記ノズル１３付きのホルダーキャップ１２をホルダー１１の先端から一旦外して、ホルダー１１の先端を開口させ、そこから袋２０をホルダー１１の内部に収容する。袋端部２２はホルダー１１の先端側（図２において左側）へ向け、袋端部２３はホルダー１１の末端側（図２において右側）へ向ける。
【００１６】
袋２０の前記収容工程と前後して、袋端部２２の先端部２２ｅから胴体部２１へ向かって切込み２５を入れることによって、袋２０を開封する。開封後も、切込み２５を挟んで袋端部２２の両側部は、胴体部２１に連なっている。
本発明の開封操作は、袋端部２２の一部を胴体部２１から切り離すものではない。例えば、図２において軸線Ｌ２と直交する二点鎖線にて示す仮想切断口２６より先端側（左側）の部分を胴体部２１から切り離すものではない。したがって、切れ端が発生することはない。切れ端がゴミになることもない。
【００１７】
その後、ノズル１３付きのホルダーキャップ１２をホルダー１１の先端に装着する。
続いて、図２において矢印線ａにて示すように、押し駒１４を押し機構（詳細な図示省略）によってホルダー１１の先端側へ押し込む。この押し駒１４に押されて、袋２０が先端側へ前進移動される。これによって、図３（ａ）に示すように、袋端部２２ひいては切込み２５を、ノズル１３に挿し入れることができる。
袋端部２２の仮想切断口２６（図２の二点鎖線）より先端側部分が切除されていない分だけ深く、袋端部２２をノズル１３の内部に挿し入れることができる。つまり、袋端部２２の先端をノズル１３のより先端側（図３（ａ）において左側）に位置させることができる。
押し駒１４を更に押し込むと、袋２０が圧縮されて、袋２０の内圧が高まる。これによって、切込み２５が拡開され、内容物２が切込み２５から吐出される。吐出内容物２は、ノズル部１３ａ内を経て、ノズル部１３ａの先端から吐出される。
【００１８】
袋２０を使い切ったら、新しい袋２０と交換する。具体的には、ノズル１３付きホルダーキャップ１２を外して、使用済みの袋２０をホルダー１１から取り出し、代わりに新たな袋２０をホルダー１１に収容する。新たな袋２０の袋端部２２には切込み２５を胴体部２１へ向かって形成する。その後、ノズル１３付きホルダーキャップ１２をホルダー１１に再装着する。
【００１９】
図３（ｂ）に示すように、この段階のノズル１３の内部には、前記使用済の袋２０からの内容物２の残材２ｂが詰まっている。残材２ｂは、ノズル部１３ａの先端部から例えばノズル部１３ａの中間部付近まで及んでいる。
仮に、袋２０の開封口が、長手方向に延びる切込み２５ではなく、幅方向に延びる仮想切断口２６（図２の二点鎖線）であった場合には、残材２ｂは、ノズル部１３ａの先端部から例えばノズル部１３ａと受け口部１３ｂの接続部付近（図３（ｂ）の二点鎖線Ｌ２ｂ’）まで及び得る。
要するに、袋２０の開封口として、長手方向の切込み２５を選択することで、幅方向の仮想切断口２６を選択するよりも深く袋２０をノズル１３内に挿し入れ可能であるために、残材２ｂの量を少なくできる。
【００２０】
袋２０の交換後、前回と同様にして、押し駒１４を押し込んでいく。すると、図３（ｂ）に示すように、袋端部２２がノズル１３の内部に入り込み、切込み２５が拡開して、内容物２が切込み２５から吐出される。ノズル部１３ａ内の残材２ｂの量が少なく、かつ袋端部２２をより深くノズル１３内へ差し込むことができるから、切込み２５からの内容物２の圧力で、残材２ｂをノズル部１３ａから比較的容易に押し出すことができ、ひいては、内容物２をスムーズにノズル部１３ａから吐出させることができる。したがって、切込み２５からの内容物２が、ノズル１３の受け口部１３ｂ内やホルダー１１の先端側部分１１ｅ内に回り込むのを防止又は抑制できる。この結果、受け口部１３ｂ内やホルダー先端側部分１１ｅ内が、漏出内容物２によって汚れるのを防止又は抑制できる。
【００２１】
なお、図３（ｂ）において二点鎖線にて示すように、仮に、袋２０の開封口が、切込み２５ではなく、仮想切断口２６であった場合には、内容物２の吐出開始前後における袋２０の先端部分と吐出ガン１の内周面との間に比較的広い空隙Ｓが形成され、かつ前述したように残材２ｂがノズル１３内に比較的多く詰まっているために、仮想切断口２６からの漏出内容物２’がノズル１３の受け口部１３ｂ内やホルダー先端側部分１１ｅ内に回り込みやすい。このため、受け口部１３ｂ内やホルダー先端側部分１１ｅ内が漏出内容物２’で汚れやすい。
【００２２】
本発明は、前記実施形態に限られず、その趣旨を逸脱しない範囲内で種々の改変をなすことができる。
例えば、切込み２５は、袋端部２２の先端部２２ｅから胴体部２１へ向かって延びていればよく、必ずしも軸線Ｌ２上に正確に形成される必要はなく、軸線Ｌ２から多少ずれていたり、軸線Ｌ２に対して多少斜めになっていたりしてもよい。袋端部２２の先端部２２ｅは、袋端部２２の最先端を含むその周辺を意味する。
末端側の袋端部２３が、先端側の袋端部２２と同様に、三角形状ないしは錐形状になっていてもよい。逆に、先端側の袋端部２２が、半円形状になっていてもよい。
【産業上の利用可能性】
【００２３】
本発明は、吐出ガン等の吐出装置によって接着剤やシーリング材等の流動性材料を吐出する際に用いられる軟質容器に適用可能である。
【符号の説明】
【００２４】
１          吐出ガン
２          内容物
２ｂ        残材
１１        ホルダー
１１ｅ      ホルダー先端側部分
１３        ノズル
１３ａ      ノズル部
１３ｂ      受け口部
１４        押し駒
２０        袋
２１        胴体部
２２        袋端部
２２ｅ      先端部
２３        袋底部
２４        周縁封止部
２５        切込み
【図１】
2017186024.tif 000003
【図２】
2017186024.tif 000004
【図３】
2017186024.tif 000005